【手続補正書】
【提出日】平成19年7月30日(2007.7.30)
【手続補正１】
【補正対象書類名】明細書
【補正対象項目名】発明の名称
【補正方法】変更
【補正の内容】
【発明の名称】無線通信装置、無線通信システムおよび無線通信方法
【手続補正２】
【補正対象書類名】明細書
【補正対象項目名】特許請求の範囲
【補正方法】変更
【補正の内容】
【特許請求の範囲】
【請求項１】  通信相手からの信号を受信する受信手段と、
受信信号の受信品質に基づいて前記通信相手に信号を送信する送信手段と、を備え、
前記送信手段は、
前記受信品質が所定値の場合は、所定の変調多値数の変調方式および所定の送信パワを示す前記信号を送信し、
前記受信品質が前記所定値より低い場合は、前記所定の変調多値数より小さい変調多値数の変調方式および前記所定の送信パワを示す前記信号を送信し、
前記受信品質が前記所定値より高い場合は、前記所定の変調方式および前記所定の送信パワより小さい送信パワを示す前記信号を送信する、
無線通信装置。
【請求項２】  前記送信手段は、前記受信品質が前記所定値より低い場合は、前記受信品質が低いほど変調多値数がより小さい変調方式を示す前記信号を送信する、
請求項１記載の無線通信装置。
【請求項３】  前記送信手段は、前記受信品質が前記所定値より高い場合は、前記受信品質が高いほどより小さい送信パワを示す前記信号を送信する、
請求項１記載の無線通信装置。
【請求項４】  通信相手からの信号を受信する受信手段と、
前記信号に基づいて変調方式および送信パワを制御する制御手段と、を備え、
前記信号は、
前記通信相手へ送信された信号の受信品質が所定値の場合は、所定の変調多値数の変調方式および所定の送信パワを示し、
前記受信品質が前記所定値より低い場合は、前記所定の変調多値数より小さい変調多値数の変調方式および前記所定の送信パワを示し、
前記受信品質が前記所定値より高い場合は、前記所定の変調方式および前記所定の送信パワより小さい送信パワを示す、
無線通信装置。
【請求項５】  前記信号は、前記受信品質が前記所定値より低い場合は、前記受信品質が低いほど変調多値数がより小さい変調方式を示す、
請求項４記載の無線通信装置。
【請求項６】  前記信号は、前記受信品質が前記所定値より高い場合は、前記受信品質が高いほどより小さい送信パワを示す、
請求項４記載の無線通信装置。
【請求項７】  請求項１または請求項４記載の無線通信装置を備える通信端末装置。
【請求項８】  請求項１または請求項４記載の無線通信装置を備える基地局装置。
【請求項９】  通信相手からの信号を受信する受信ステップと、
受信信号の受信品質に基づいて前記通信相手に信号を送信する送信ステップと、を備え、
前記送信ステップにおいて、
前記受信品質が所定値の場合は、所定の変調多値数の変調方式および所定の送信パワを示す前記信号を送信し、
前記受信品質が前記所定値より低い場合は、前記所定の変調多値数より小さい変調多値数の変調方式および前記所定の送信パワを示す前記信号を送信し、
前記受信品質が前記所定値より高い場合は、前記所定の変調方式および前記所定の送信パワより小さい送信パワを示す前記信号を送信する、
無線通信方法。
【請求項１０】  前記送信ステップにおいて、前記受信品質が前記所定値より低い場合は、前記受信品質が低いほど変調多値数がより小さい変調方式を示す前記信号を送信する、
請求項９記載の無線通信方法。
【請求項１１】  前記送信ステップにおいて、前記受信品質が前記所定値より高い場合は、前記受信品質が高いほどより小さい送信パワを示す前記信号を送信する、
請求項９記載の無線通信方法。
【請求項１２】  通信相手からの信号を受信する受信ステップと、
前記信号に基づいて変調方式および送信パワを制御する制御ステップと、を備え、
前記信号は、
前記通信相手へ送信された信号の受信品質が所定値の場合は、所定の変調多値数の変調方式および所定の送信パワを示し、
前記受信品質が前記所定値より低い場合は、前記所定の変調多値数より小さい変調多値数の変調方式および前記所定の送信パワを示し、
前記受信品質が前記所定値より高い場合は、前記所定の変調方式および前記所定の送信パワより小さい送信パワを示す、
無線通信方法。
【請求項１３】  前記信号は、前記受信品質が前記所定値より低い場合は、前記受信品質が低いほど変調多値数がより小さい変調方式を示す、
請求項１２記載の無線通信方法。
【請求項１４】  前記信号は、前記受信品質が前記所定値より高い場合は、前記受信品質が高いほどより小さい送信パワを示す、
請求項１２記載の無線通信方法。
【請求項１５】  基地局装置と、通信端末装置と、を備える無線通信システムであって、
前記基地局装置は、前記通信端末装置からの第１の信号に基づいて変調方式および送信パワを制御し、
前記通信端末装置は、前記基地局装置からの第２の信号の受信品質に基づいて前記基地局装置に前記第１の信号を送信し、
前記通信端末装置は、
前記受信品質が所定値の場合は、所定の変調多値数の変調方式および所定の送信パワを示す前記第１の信号を送信し、
前記受信品質が前記所定値より低い場合は、前記所定の変調多値数より小さい変調多値数の変調方式および前記所定の送信パワを示す前記第１の信号を送信し、
前記受信品質が前記所定値より高い場合は、前記所定の変調方式および前記所定の送信パワより小さい送信パワを示す前記第１の信号を送信する、
無線通信システム。
【請求項１６】  基地局装置と、通信端末装置と、を備える無線通信システムであって、
前記通信端末装置は、前記基地局装置からの第１の信号に基づいて変調方式および送信パワを制御し、
前記基地局装置は、前記前記通信端末装置からの第２の信号の受信品質に基づいて前記通信端末装置に前記第１の信号を送信し、
前記基地局装置は、
前記受信品質が所定値の場合は、所定の変調多値数の変調方式および所定の送信パワを示す前記第１の信号を送信し、
前記受信品質が前記所定値より低い場合は、前記所定の変調多値数より小さい変調多値数の変調方式および前記所定の送信パワを示す前記第１の信号を送信し、
前記受信品質が前記所定値より高い場合は、前記所定の変調方式および前記所定の送信パワより小さい送信パワを示す前記第１の信号を送信する、
無線通信システム。
【手続補正３】
【補正対象書類名】明細書
【補正対象項目名】００１４
【補正方法】変更
【補正の内容】
【００１４】
【課題を解決するための手段】
本発明の第１の態様に係る基地局装置は、通信端末装置の実際の受信品質に基づいて前記通信端末装置に対する送信信号の伝送レートを設定する伝送レート設定手段と、設定された伝送レートの送信信号についての前記通信端末装置における受信信号の特性が所望品質を満たす最小の送信電力値を、前記通信端末装置に対する送信電力値として設定する電力値設定手段と、設定された送信電力値を用いて、設定された伝送レートの送信信号を前記通信端末装置に送信する送信手段と、を具備する構成を採る。
【手続補正４】
【補正対象書類名】明細書
【補正対象項目名】００１６
【補正方法】変更
【補正の内容】
【００１６】
本発明の第２の態様に係る基地局装置は、電力値設定手段は、設定された伝送レートの送信信号についての通信端末装置における受信信号の特性が所望品質を満たすのに最低限必要な基準受信品質を検出する基準受信品質検出手段を具備し、実際の受信品質と前記基準受信品質との差を用いて送信電力値を設定する構成を採る。
【手続補正５】
【補正対象書類名】明細書
【補正対象項目名】００１８
【補正方法】変更
【補正の内容】
【００１８】
本発明の第３の態様に係る基地局装置は、伝送レート設定手段は、通信端末装置により通知された伝送レートを、前記通信端末装置に対する送信信号の伝送レートとして設定し、電力値設定手段は、前記通信端末装置により通知された最小の送信電力値を、前記通信端末装置に対する送信電力値として設定する、構成を採る。
【手続補正６】
【補正対象書類名】明細書
【補正対象項目名】００２０
【補正方法】変更
【補正の内容】
【００２０】
本発明の第４の態様に係る基地局装置は、電力値設定手段は、通信端末装置により通知された、設定された伝送レートを最低限満たすために必要な送信電力値と通常の送信電力値との差を用いて、前記通信端末装置に対する送信電力値を設定する、構成を採る。
【手続補正７】
【補正対象書類名】明細書
【補正対象項目名】００２２
【補正方法】変更
【補正の内容】
【００２２】
本発明の第５の態様に係る基地局装置は、電力値設定手段は、高速な伝送レートが適用された場合にのみ、設定された伝送レートを最低限満たすために必要な送信電力値を前記通信端末装置に対する送信電力値として設定する構成を採る。
【手続補正８】
【補正対象書類名】明細書
【補正対象項目名】００２４
【補正方法】変更
【補正の内容】
【００２４】
本発明の第６の態様に係る基地局装置は、送信手段が、略一定の送信電力値を用いて、制御チャネル信号を送信する構成を採る。
【手続補正９】
【補正対象書類名】明細書
【補正対象項目名】００２６
【補正方法】変更
【補正の内容】
【００２６】
本発明の第７の態様に係る基地局装置は、電力値設定手段が、あらかじめ定められた複数の送信電力値の候補の中から選択した送信電力値を、通信端末装置に対する送信電力値として設定する構成を採る。
【手続補正１０】
【補正対象書類名】明細書
【補正対象項目名】００２７
【補正方法】変更
【補正の内容】
【００２７】
本発明の第８の態様に係る基地局装置は、複数の送信電力値の候補が、通信端末装置に報知されており、電力値設定手段が、複数の送信電力値の候補の中から前記通信端末装置により指定された送信電力値を選択する構成を採る。
【手続補正１１】
【補正対象書類名】明細書
【補正対象項目名】００２９
【補正方法】変更
【補正の内容】
【００２９】
本発明の第９の態様に係る基地局装置は、通信端末装置における制御チャネル信号の受信品質に基づいて、前記通信端末装置に対するデータチャネル信号の伝送レートを設定する伝送レート設定手段と、設定された伝送レートに基づいて、データチャネル信号の送信先とすべき通信端末装置を選択する選択手段と、送信先として選択された通信端末装置のうち、データチャネル信号の受信品質が良好な通信端末装置へのデータチャネル信号の送信が、データチャネルにおいて支配的となっているか否かの判定を行う判定手段と、前記判定手段の判定結果に基づいて設定した送信電力値を用いて、制御チャネル信号および送信先として選択された通信端末装置に対するデータチャネル信号を送信する送信手段と、を具備する構成を採る。
【手続補正１２】
【補正対象書類名】明細書
【補正対象項目名】００３１
【補正方法】変更
【補正の内容】
【００３１】
本発明の第１０の態様に係る基地局装置は、判定手段が、送信先として選択された通信端末装置のうち制御チャネル信号の受信品質が所定値を超える通信端末装置の数を検出する検出手段を具備し、前記所定値を超える通信端末装置の数を用いて判定を行う構成を採る。
【手続補正１３】
【補正対象書類名】明細書
【補正対象項目名】００３３
【補正方法】変更
【補正の内容】
【００３３】
本発明の第１１の態様に係る基地局装置は、判定手段は、送信先として選択された通信端末装置の数に対する所定値を超える通信端末装置の数の割合を算出する算出手段を具備し、算出された割合を用いて判定を行う構成を採る。
【手続補正１４】
【補正対象書類名】明細書
【補正対象項目名】００３５
【補正方法】変更
【補正の内容】
【００３５】
本発明の第１２の態様に係る基地局装置は、判定手段が、送信先として選択された通信端末装置における制御チャネル信号の受信品質の分布を検出する分布検出手段を具備し、検出された分布を用いて判定を行う構成を採る。
【手続補正１５】
【補正対象書類名】明細書
【補正対象項目名】００３７
【補正方法】変更
【補正の内容】
【００３７】
本発明の第１３の態様に係る基地局装置は、送信手段は、分布検出手段により検出された分布に基づいて送信電力の変化幅を設定する変化幅設定手段を具備し、設定された変化幅に基づいて設定された送信電力値を用いて、制御チャネル信号および送信先として選択された通信端末装置に対するデータチャネル信号を送信する構成を採る。
【手続補正１６】
【補正対象書類名】明細書
【補正対象項目名】００３９
【補正方法】変更
【補正の内容】
【００３９】
本発明の第１４の態様に係る基地局装置は、データチャネル信号の送信先として選択された通信端末装置に対応する伝送レートに基づいて、データチャネル信号についてのスループットの変化を推定する推定手段を具備し、送信手段が、推定されたスループットの変化に基づいて設定した送信電力値を用いて、制御チャネル信号および送信先として選択された通信端末装置に対するデータチャネル信号を送信する構成を採る。
【手続補正１７】
【補正対象書類名】明細書
【補正対象項目名】００４１
【補正方法】変更
【補正の内容】
【００４１】
本発明の第１５の態様に係る通信端末装置は、上記いずれかに記載の基地局装置と無線通信を行うことを特徴とする。
【手続補正１８】
【補正対象書類名】明細書
【補正対象項目名】００４３
【補正方法】変更
【補正の内容】
【００４３】
本発明の第１６の態様に係る通信端末装置は、高速な伝送レートが適用された場合にのみ、基地局装置に対して、伝送レートと最小の送信電力値、または、設定された伝送レートを最低限満たすために必要な送信電力値と通常の送信電力値との差を通知する構成を採る。
【手続補正１９】
【補正対象書類名】明細書
【補正対象項目名】００４５
【補正方法】変更
【補正の内容】
【００４５】
本発明の第１７の態様に係る通信方法は、通信端末装置の実際の受信品質に基づいて前記通信端末装置に対する送信信号の伝送レートを設定する伝送レート設定工程と、設定された伝送レートの送信信号についての前記通信端末装置における受信信号の特性が所望品質を満たす最小の送信電力値を、前記通信端末装置に対する送信電力値として設定する電力値設定工程と、設定された送信電力値を用いて、設定された伝送レートの送信信号を前記通信端末装置に送信する送信工程と、を具備する。